(57)【特許請求の範囲】
【請求項１】
便器本体の前方側から後方側に向かって延びる排水トラップの下流端の開口である排出口と、床面に配設された排水管と、を接続する管路を形成する排水ソケットであって、
前記排出口に接続される流入口と、
前記流入口から流入した排水を鉛直方向に流下させる鉛直管路部と、
前記鉛直管路部の中心軸に対して中心軸が偏心した開口であり、前記排水管に接続される流出口と、
前記流出口を底部に有し、前記鉛直管路部側から前記流出口に向かって管路が屈曲した屈曲管路部と、を備え、
さらに、前記流入口から流入した排水を衝突させてその一部を分流する分流部と、前記分流部の上方に形成されており前記分流部によって分流した排水を流入口側へ旋回させるための空間を形成するための空間形成部と、を備え、
前記分流部は、排水の少なくとも一部が前記空間形成部の内壁面に沿って旋回するように前方側から後方側に向かって上方に傾斜した分流部上面を有する排水ソケット。
【請求項２】
便器本体の前方側から後方側に向かって延びる排水トラップの下流端の開口である排出口と、床面に配設された排水管と、を接続する管路を形成する排水ソケットであって、
前記排出口に接続される流入口と、
前記流入口から流入した排水を鉛直方向に流下させる鉛直管路部と、
前記鉛直管路部の中心軸に対して中心軸が偏心した開口であり、前記排水管に接続される流出口と、
前記流出口を底部に有し、前記鉛直管路部側から前記流出口に向かって管路が屈曲した屈曲管路部と、を備え、
さらに、前記流入口から流入した排水を衝突させてその一部を分流する分流部と、前方側からみて前記分流部の左右に形成されており前記分流部によって分流した排水を流入口側へ旋回させるための空間を形成するための空間形成部と、を備え、
前記分流部は、分流された排水の少なくとも一部が前記空間形成部の内壁面に沿って旋回するように前方側から後方側に向かって斜め左方に傾斜した分流部左壁面と、分流された排水の少なくとも一部が前記空間形成部の内壁面に沿って旋回するように前方側から後方側に向かって斜め右方に傾斜した分流部右壁面と、を有する排水ソケット。
【請求項３】
便器本体の前方側から後方側に向かって延びる排水トラップの下流端の開口である排出口と、床面に配設された排水管と、を接続する管路を形成する排水ソケットであって、
前記排出口に接続される流入口と、
前記流入口から流入した排水を鉛直方向に流下させる鉛直管路部と、
前記鉛直管路部の中心軸に対して中心軸が偏心した開口であり、前記排水管に接続される流出口と、
前記流出口を底部に有し、前記鉛直管路部側から前記流出口に向かって管路が屈曲した屈曲管路部と、を備え、
さらに、前記流入口から流入した排水を衝突させてその一部を分流する分流部と、前記分流部の後方に形成されており前記分流部によって分流した排水を流入口側へ旋回させるための空間を形成するための空間形成部と、を備え、
前記分流部は、分流された排水の少なくとも一部が前記空間形成部の内壁面に沿って旋回するように前方側から後方側に向かって下方に傾斜した分流部後壁面を有する排水ソケット。
【請求項４】
請求項１乃至３のいずれか１項に記載の排水ソケットと、前記排水ソケットの前記流入口に前記排出口が接続される前記便器本体と、を備える洗い落とし式大便器。
【発明の詳細な説明】
【技術分野】
【０００１】
本発明は、便器本体の排出口と下水管に繋がる排水管とを接続する排水ソケットに関する。
【背景技術】
【０００２】
従来における水洗大便器として、サイホン作用を生じさせずに水の落差による流水作用で汚物を押し流す方式を用いた洗い落し式便器が知られている。
この洗い落し式便器は、サイホン作用を生じさせて汚物を排出するサイホン式便器に比べ、構造がシンプルでかつ安価であり、さらに便器の洗浄に用いられる洗浄水の量が少なくてよい等の利点を有する。よって、従来から便器に対して求められている洗浄水量の節水に合致したものである。
【０００３】
一般的に、水洗大便器の排水方向として床排水と壁排水の２種類があり、戸建住宅やマンション等の建物における排水管の配管構造に合わせて排水方向が選択されるが、水洗大便器の排出口と排水管とを接続する排水ソケットを屈曲させることで、その建物の配管構造とは異なった排水方向の水洗大便器を設置することが可能となる。例えば、特許文献１のように、床下の排水管と、壁排水タイプの水洗大便器の排出口とを屈曲した排水ソケットで接続することで、壁排水タイプの水洗大便器を設置できるといったものである。
また、床下の排水管と、床排水タイプの水洗大便器の排出口とを排水ソケットで接続するときに、トイレルームの構造や建物の配管構造などの関係で、排出口の真下からずれた位置に床下の排水管が配設されていることがある。こういった場合にも、屈曲した排水ソケットを用いることで、排水管と排出口とをつなぐことができる。
【先行技術文献】
【特許文献】
【０００４】
【特許文献１】特開２００３−９６８９１号公報
【発明の概要】
【発明が解決しようとする課題】
【０００５】
しかし、上記特許文献１のような屈曲した排水ソケットを床下の排水管に接続する際に、排水ソケットから床下の排水管に排出された排水が、排水管の壁面に沿った流れを生じる。そのため、図９に示すように排水管が屈曲部を有している場合、排水ソケットから排水管へ排出される排水の流量が大きくなることで、排水管における屈曲部分をシールする。これにより、排水管内に密閉空間が生じることで排水管内が満水化し、排水管内において負圧が生じることで、上流側の水を下流側に引き込むサイホン作用が発生してしまう。特に、サイホン作用を生じさせずに洗浄を行う洗い落とし式の水洗大便器においてこういったサイホン作用が発生してしまうと、水洗大便器内の溜水が引き込まれて減少し、溜水不足や溜水切れを起こすという問題があった。
【０００６】
そこで本発明は、上述した課題を解決するためになされたものであり、排水管内におけるサイホン作用の発生を抑制し、便器の溜水不足及び溜水切れを抑制することを目的とする。
【課題を解決するための手段】
【０００７】
上記目的を達成するために、本発明によれば、便器本体の前方側から後方側に向かって延びる排水トラップの下流端の開口である排出口と、床面に配設された排水管と、を接続する管路を形成する排水ソケットであって、排出口に接続される流入口と、流入口から流入した排水を鉛直方向に流下させる鉛直管路部と、前記鉛直管路部の中心軸に対して中心軸が偏心した開口であり、前記排水管に接続される流出口と、流出口を底部に有し、鉛直管路部側から流出口に向かって管路が屈曲した屈曲管路と、を備え、さらに、流入口から流入した排水を衝突させてその一部を分流する分流部と、前記分流部の上方に形成されており分流部によって分流した排水を流入口側へ旋回させるための空間を形成するための空間形成部と、を備え、前記分流部は、分流された排水の少なくとも一部が前記空間形成部の内壁面に沿って旋回するように前方側から後方側に向かって上方に傾斜した分流部上面を有する。
【０００８】
このように構成された本発明においては、排水ソケットの流入口から流入した排水は、排水ソケットに備わった分流部へと衝突し、その一部が分流される。そして、分流部によって分流部の上方に形成された空間形成部側へ分流された排水は、流入口側へ空間形成部内を旋回することで排水ソケット内に一時的に滞留する。この滞留する排水は排出口から排出される排水量が多いほど増えるため、屈曲管路に分流部を備えない場合に比べ、排水管へ排出される排水の最大瞬間流量を減少することができる。そのため、排水管の壁面に沿った排水の流量を減少し、排水管路の屈曲部分がシールされることによって生じる排水管路内の満水化を抑制する。したがって、排水管内におけるサイホン作用の発生を抑制することができ、便器の溜水水位低下及び溜水切れを抑制することができる。
【０００９】
上記目的を達成するために、本発明によれば、便器本体の前方側から後方側に向かって延びる排水トラップの下流端の開口である排出口と、床面に配設された排水管と、を接続する管路を形成する排水ソケットであって、前記排出口に接続される流入口と、前記流入口から流入した排水を鉛直方向に流下させる鉛直管路部と、前記鉛直管路部の中心軸に対して中心軸が偏心した開口であり、前記排水管に接続される流出口と、前記流出口を底部に有し、前記鉛直管路部側から前記流出口に向かって管路が屈曲した屈曲管路部と、を備え、さらに、前記流入口から流入した排水を衝突させてその一部を分流する分流部と、前方側からみて前記分流部の左右に形成されており前記分流部によって分流した排水を流入口側へ旋回させるための空間を形成するための空間形成部と、を備え、前記分流部は、分流された排水の少なくとも一部が前記空間形成部の内壁面に沿って旋回するように前方側から後方側に向かって斜め左方に傾斜した分流部左壁面と、分流された排水の少なくとも一部が前記空間形成部の内壁面に沿って旋回するように前方側から後方側に向かって斜め右方に傾斜した分流部右壁面と、を有する。
【００１０】
このように構成された本発明においては、排水ソケットの流入口から流入した排水は、排水ソケットに備わった分流部へと衝突し、その一部が分流される。そして、分流部によって分流部の左右に形成された空間形成部側へ分流された排水は、流入口側へ空間形成部内を旋回することで排水ソケット内に一時的に滞留する。この滞留する排水は排出口から排出される排水量が多いほど増えるため、屈曲管路に分流部を備えない場合に比べ、排水管へ排出される排水の最大瞬間流量を減少することができる。そのため、排水管の壁面に沿った排水の流量を減少し、排水管路の屈曲部分がシールされることによって生じる排水管路内の満水化を抑制する。したがって、排水管内におけるサイホン作用の発生を抑制することができ、便器の溜水水位低下及び溜水切れを抑制することができる。
【００１１】
上記目的を達成するために、本発明によれば、便器本体の前方側から後方側に向かって延びる排水トラップの下流端の開口である排出口と、床面に配設された排水管と、を接続する管路を形成する排水ソケットであって、前記排出口に接続される流入口と、前記流入口から流入した排水を鉛直方向に流下させる鉛直管路部と、前記鉛直管路部の中心軸に対して中心軸が偏心した開口であり、前記排水管に接続される流出口と、前記流出口を底部に有し、前記鉛直管路部側から前記流出口に向かって管路が屈曲した屈曲管路部と、を備え、さらに、前記流入口から流入した排水を衝突させてその一部を分流する分流部と、前記分流部の後方に形成されており前記分流部によって分流した排水を流入口側へ旋回させるための空間を形成するための空間形成部と、を備え、前記分流部は、分流された排水の少なくとも一部が前記空間形成部の内壁面に沿って旋回するように前方側から後方側に向かって下方に傾斜した分流部後壁面を有する。
【００１２】
このように構成された本発明においては、排水ソケットの流入口から流入した排水は、排水ソケットに備わった分流部へと衝突し、その一部が分流される。そして、分流部によって分流部の後方に形成された空間形成部側へ分流された排水は、流入口側へ空間形成部内を旋回することで排水ソケット内に一時的に滞留する。この滞留する排水は排出口から排出される排水量が多いほど増えるため、屈曲管路に分流部を備えない場合に比べ、排水管へ排出される排水の最大瞬間流量を減少することができる。そのため、排水管の壁面に沿った排水の流量を減少し、排水管路の屈曲部分がシールされることによって生じる排水管路内の満水化を抑制する。したがって、排水管内におけるサイホン作用の発生を抑制することができ、便器の溜水水位低下及び溜水切れを抑制することができる。
【００１５】
また、本発明は、上記排水ソケットと、排水ソケットの流入口に排出口が接続される便器本体と、を備える洗い落とし式大便器である。
【００１６】
このように構成された本発明の洗い落とし式大便器によれば、排出口が接続された排水ソケットに分流部を形成しているので、排水管内におけるサイホン作用の発生による溜水の引き込みが抑制され、リフィル機能をもっていないため特にサイホン作用による影響を受けやすい洗い落とし式大便器の溜水水位の低下及び溜水切れを抑制することができる。
【発明の効果】
【００１７】
本発明によれば、排水管内におけるサイホン作用の発生を抑制し、便器の溜水不足及び溜水切れを抑制することができる。
【図面の簡単な説明】
【００１８】
【図１】本発明の第一実施形態による排水ソケットを適用した洗い落とし式大便器の断面図である。
【図２】本発明の第一実施形態による排水ソケットの斜視分解図である。
【図３】本発明の第一実施形態による流入部を上方からみた斜視断面図である。
【図４】本発明の第一実施形態による流出部を下方からみた斜視図である。
【図５】本発明の第一実施形態による排水ソケットの断面図である。
【図６（Ａ）】本発明の第二実施形態による流入部の斜視図である。
【図６（Ｂ）】図６（Ａ）中のＩ−Ｉ線に沿った断面の斜視図である。
【図７】大便器の洗浄動作開始から排水を排水管へ排出し終えるまでの、排水ソケットから排水管へ排出される排水の瞬間流量を表したグラフである。
【図８】本発明の第三実施形態による流入部の断面図である。
【図９】従来における水洗大便器において、排水管がシールされることを説明した図である。
【発明を実施するための形態】
【００１９】
添付図面を参照して、本発明の第一実施形態による洗い落とし式大便器を以下に説明する。
【００２０】
＜全体構成＞
まず、図１を参照して、本発明の第一実施形態による洗い落とし式大便器の全体構成について説明する。図１は、本発明の第一実施形態による排水ソケットを適用した洗い落とし式大便器の断面図である。
【００２１】
図１に示すように、本発明の第一実施形態による大便器１の後方部に開口した排出口３と排水を下水道へ排出するために建物に設置された排水管５と、を排水ソケット１０によって接続している。
【００２２】
＜排水ソケットの構成＞
次に、図２〜４を参照して、本発明の第一実施形態による排水ソケットの構成について説明する。図２は、本発明の第一実施形態による排水ソケットの斜視分解図である。図３は、本発明の第一実施形態による流入部を上方からみた斜視断面図である。図４は、本発明の第一実施形態による流出部を下方からみた斜視図である。
【００２３】
図２に示すように、排水ソケット１０は、自身の上流側が大便器１の後方に開口した排出口３に接続される流入部２０と、自身の下流側が排水管５に接続される流出部４０と、前後方向に延び、自身の上流側が流入部２０の下流側と接続され、且つ自身の下流側が流出部４０の上流側と接続される連結部６０とで構成されている。排水ソケット１０は、大便器１の排出口３から排出された排水が流入部２０へと流入し、流入部２０を流下しながらほぼ１８０度流れの向きを変えて連結部６０へと流れ、連結部６０を通って流出部４０へと流れた後に、流出部４０において下方へほぼ９０度流れの向きを変えて床排水の排水管５へと排出されるように形成されている。また、接続されている排出口３と流入部２０の流入口２０ａは、例えばゴムパッキンなどのようなシール部材１１によってシールされている。
【００２４】
流入部２０は、図２及び図３に示すように、上方には前方側に向かって開口した流入口２０ａと、下方には前方側に向かって開口した流入部の下流側接続口２０ｂとを有する。流入口２０ａには排出口３が接続され、流入部の下流側接続口２０ｂは連結部１３と接続される。本実施形態において、流入部２０の後方管壁には前方側へ突出した段状の分流部２１が形成されている。分流部２１は、後方側から前方側に向かって下方に傾斜した分流部上面２１ａと、分流部上面２１ａの前端部から下方に延びた分流部側壁面２１ｂと、分流部上面２１ａの前端部及び分流部側壁面２１ｂの上端部に位置する分流部頂部２１ｃによって構成される。分流部２１の下方には、下方が前方向へ屈曲した管路であり、連結部６０と接続される流入部の下流管路２４が形成されている。
また、流入部２０は、流入部２０の後方管壁の一部であり、分流部２１の上方に位置する空間形成部２２を有する。空間形成部２２は、分流部上面２１ａの後端部から上方に向かって後方へ傾斜した傾斜部２２ａと、傾斜面２２ａの上端部から前方へ湾曲した湾曲部２２ｂとを有する。この空間形成部２２によって、流入部２０内における分流部２１の上方には旋回空間Ｒ３が形成される。
【００２５】
さらに、分流部２１は、排出口３から流入部２０へ流入する排水の排水量が多くなると排水が分流部頂部２１ｃへ衝突するように、流入側管路底面２３と略同じ高さに分流部２１を形成している。なお、本発明はこれに限らず、流入部２０の形状や大きさ等に応じて分流部２１を形成する位置を適宜変更しても良い。
【００２６】
流出部４０は、図２，４に示すように、後方側に向かって開口した流出部の上流側接続口４０ａと、下方側に向かって開口した流出口４０ｂとを有した、エルボ状の管継手である。流出部の上流側接続口４０ａには連結部の下流側接続口６０ｂが接続され、流出口４０ｂには排水管５が接続される
【００２７】
連結部６０は、図２に示すように、円筒の形状をしており、連結部の上流側接続口６０ａ付近の外径が流入部の下流側接続口２０ｂの内径よりも小さく、連結部の下流側接続口６０ｂの外径が流出部の上流側接続口４０ａの内径よりも小さくなるよう形成されている。これにより、連結部の上流側接続口６０ａを流入部の下流側接続口２０ｂに挿入することで流入部２０と連結部６０が継合され、連結部の下流側接続口６０ｂを流出部の上流側接続口４０ａに挿入することで流出部４０と連結部６０が継合される。
【００２８】
なお、本実施形態においては、流入部２０と連結部６０及び流出部４０と連結部６０を上記のような方法で接続することとしたが、本発明はこれに限られず、例えば流入部の下流側接続口２０ｂ及び流出部の上流側接続口４０ａにシール部材を取り付けて、流入部２０と連結部６０及び流出部４０と連結部６０を接続してもよい。
また、本実施形態においては、排水ソケット１０が、流入部２０と流出部４０と連結部６０の３つの部材で構成されることとしたが、本発明はこれに限られず、例えば流出部４０と連結部６０が１つの部材で構成されてもよく、流入部２０と流出部４０と連結部６０が１つの部材で構成されてもよい。
【００２９】
＜排水動作の流れ＞
次に、図１，５を参照して、本発明の第一実施形態による排水動作の一連の流れについて説明する。図５は、本発明の第一実施形態による排水ソケットの排水動作の流れを具体的に説明するための図である。図５は、本発明の第一実施形態による排水ソケットの断面図である。図５において、排出口３から排水管５までの排水ソケット１０における排水の経路の一例をＬ１で示す。
【００３０】
使用者が排便する前の待機状態においては、図１に示すように、大便器１の便器ボウル部Ｒ１の下方に形成されたＵ字形状の排水トラップ２内には洗浄水が溜水Ｗとして存在している状態になっており、使用者が排便を行った後は、大便器１の排水トラップ２内の溜水Ｗに排泄物などが溜まった状態になる。
大便器１の洗浄動作が開始されると、大便器１の給水部（図示せず）から便器ボウル部Ｒ１へ洗浄水が供給され、図１の矢印で示すように便器ボウル部Ｒ１を流下して溜水Ｗ内へ流入する。大便器１の排水トラップ２に流入した洗浄水は、排水トラップ２内に溜まった排泄物などを下流側へ押し出し、排水トラップ２から排出口３までの排出管路Ｒ２を通って、排出口３から排水ソケット１０内へ排水として排出される。
【００３１】
図５に示すように、排出口３から排出された排水は、排水ソケット１０の上流側を構成する流入部２０へと流入する。大便器１の洗浄動作開始直後や洗浄動作終了直前のように、排出口３から排出される排水の瞬間流量が小さく水の勢いが弱いときは、流入部２０へ流入した排水は、分流部側壁面２１ｂへ衝突し、流入部の下流管路２４へと流下する。一方で、排出口３から排出される排水の瞬間流量が大きく水の勢いが強くなると、流入部２０へ流入した排水は、分流部２１に衝突することで、分流部上面２１ａに衝突した排水（Ｓ１）は分流部２１の上方に、分流部側壁面２１ｂに衝突した排水（Ｓ２）は分流部２１の下方に流路を変更し、分流される。分流部上面２１ａに衝突した排水は、分流部２１の上方へ流路を変更した後に、分流部２１の上方及び後方の管壁である空間形成部２２の内壁面に沿って流れ、旋回空間Ｒ３内を旋回する。一方で、分流部側壁面２１ｂに衝突した排水は、分流部２１の下方に形成された流入部の下流管路２４へと流下し、前方側に向かって開口した流入部の下流側接続口２０ｂから連結部６０へ排出される。
【００３２】
そして、図５に示すように、流入部の下流側接続口２０ｂから排出された排水は連結部６０へ流入し、連結部６０を通して流出部４０に流入する。この流出部４０に流入した排水は、流出部４０によってほぼ９０度流れの向きを変え、流出口４０ｂに接続された排水管５へと排出される。
一定時間が経過すると、大便器１の便器ボウル部Ｒ１への洗浄水の供給が停止し、大便器１の一連の洗浄動作が終了する。
【００３３】
＜排水の瞬間流量＞
ここで、大便器１の排水動作中における、排水ソケットから排水管５へ排出される排水の瞬間流量について説明する。図７は、大便器の洗浄動作開始から排水を排水管へ排出し終えるまでの、排水ソケットから排水管へ排出される排水の瞬間流量を表したグラフである。図７内において、実線で示したグラフが排水ソケット１０に本発明の第一実施形態のような分流部２１を備えた場合のものであり、点線で示したグラフが排水ソケット１０に分流部２１を備えなかった場合のものである。
【００３４】
図７に示すように、大便器１の洗浄動作が開始され、時間が少し経過して排水が排出口３から流入部２０へ排出され始めると、流入部２０から連結部６０への排水の排出が開始される。このときは、流入部２０へ排出される瞬間流量が小さく水の勢いが弱いため、排出口３から流入部２０へと流入した排水は、分流部頂部２１ｃよりも下方、つまり分流部側壁面２１ｂへと衝突し、分流されることなく流入部の下流管路２４へと流下し、連結部６０及び流出部４０を通して排水管５へと排出される（Ａ区間）。
【００３５】
しかし、徐々に排出口３から流入部２０へ排出される排水の瞬間流量が大きくなり水の勢いが強くなると、流入部２１へ流入した排水は、やがて分流部頂部２１ｃへと衝突し始める。これにより、上記したように排水は、分流部上面２１ａに衝突して上方に流路を変更する排水と、分流部側壁面２１ｂに衝突して下方に流路を変更する排水とに分流される。このうち、分流部２１ａに衝突して上方に分流された排水は、空間形成部２２の内壁面に沿って流れ、旋回空間Ｒ３内を旋回する。そのため、まずは下流管路２４に流下せずに流入部２０内に一時的に滞留する。一方で、分流部側壁面２１ｂに衝突した排水が流入部の下流管路２４へと流下して、連結部６０及び流出部４０を通して排水管５へと排出される（Ｂ区間）。
もし、本発明の第一実施形態のような分流部２１が排水ソケット１０に備わっていない場合、排出口から流入部へ流入した排水は、分流されることなく流入部２０の下流管路２４へと流下し、一気に排水ソケット１０を通して排水管５へ排出されるため、Ｂ区間内の点線で示すように、排水ソケット１０から排水管５へ排出される排水の最大瞬間流量が大きくなる。
【００３６】
やがて、洗浄動作が終了に近づくと、大便器１の給水部から便器ボウル部Ｒ１へ供給される排水の瞬間流量が小さくなり水の勢いが弱くなるため、排出口３から流入部２０へ排出される排水量も少なくなる。そのため、排出口３から流入部２０へと流入した排水は、分流部頂部２１ｃよりも下方、つまり分流部側壁面２１ｂへと衝突し、分流されなくなる。それと同時に、旋回空間Ｒ３を旋回していた排水が徐々に流入部の下流管路２４へと流下し、連結部６０及び流出部４０を通して排水管５へと排出される（Ｃ区間）。
【００３７】
そして、洗浄動作が終了すると、排出口３から流入部２０へと排出される排水量が徐々に減っていき、やがて排出されなくなる。そのため、排水ソケット１０から排水管５へ排出される排水も、排出されなくなる（Ｄ区間）。
【００３８】
以上のように、排水ソケット１０の流入部２０に分流部２１を備えることで、分流部２１が備えなかった場合に比べて、排水ソケット１０から排水管５へ排出される排水の最大瞬間流量を低減することができる。
【００３９】
＜作用・効果＞
次に、本発明の第一実施形態による排水ソケット１０の作用効果を説明する。
【００４０】
本発明の第一実施形態においては、排水ソケット１０の流入部２０に設けた分流部２１に、排出口３から排水ソケット１０へ流入した排水を衝突させ、分流部上面２１ａに衝突して分流部２１の上方に分流された排水を、旋回空間Ｒ３内で旋回させて一時的に流入部２０内に滞留させる。これにより、排水ソケット１０に分流部２１が備わっていない場合に比べて、排出口３から排水ソケット１０を通して排水管５へ排出される排水の最大瞬間流量を低減することができる。
【００４１】
このように、排出口３から排出され、排水ソケット１０を通して排水管５へ排出される排水の最大瞬間流量を低減させることで、排水管５の壁面に沿って流れる排水の流量が減り、排水によって屈曲した部分の排水管路がシールされることによる排水管路内の満水化を抑制することができる。そのため、排水管内におけるサイホン作用の発生を抑制することができ、大便器１の溜水の引き込みを抑制し、溜水Ｗの水位低下及び溜水切れを抑制することができる。
【００４２】
また、流入部２０から連結部６０へ排出される排水の最大瞬間流量を低減することができるため、排水が一気に流れ込むことによる連結部６０及び流出部４０の管路内の満水化を抑制でき、排水ソケット管路内におけるサイホン作用の発生を防止することができる。
【００４３】
また、本実施形態の排水ソケット１０によれば、分流部２１が、流入部２０に設けた分流部上面２１ａ及び分流部側壁面２１ｂにより構成されているので、単純な構造で分流部２１を構成することができる。
【００４４】
＜第二実施形態＞
次に、本発明の第二実施形態について説明する。
【００４５】
上記した第一実施形態では、流入部２０に形成された分流部２１は、排出口３から流入した排水を流入部２０内で上下方向に分流するものとしたが、排水を左右に分流するように分流部を形成してもよい。
【００４６】
図６を参照して、流入部２０内で排水が左右に分流されるように分流部を設けた場合の、本発明の第一実施形態における第二実施形態による排水ソケットの構造について説明する。図６は、本発明の第一実施形態における第二実施形態による流入部を具体的に説明するための図である。図６（Ａ）は、本発明の第一実施形態における第二実施形態による流入部の斜視図であり、図６（Ｂ）は、図６（Ａ）中のＩ−Ｉ線に沿った断面の斜視図である。ここでは、図５に示した流入部２０の構成要素と同一の構成要素については同一の符号を付し、それらの説明を省略する。
【００４７】
図６（Ａ）に示すように、第二実施形態による流入部２０の後壁における中央鉛直方向には、前方側へ向かって凸状に延びる分流部８１が形成されている。分流部８１は、分流部８１の鉛直方向の中心軸から後方側の斜め左方に延びる分流部左壁面８１ａと、分流部８１の鉛直方向の中心軸から後方側の斜め右方に延びる分流部右壁面８１ｂによって構成されている。また、分流部８１は、流入口２０ａから流入部２０へ流入した排水が、分流部左壁面８１ａの右端部及び分流部右壁面８１ｂの左端部である分流部頂部８１ｃへ衝突するような位置に形成されている。
【００４８】
さらに、図６（Ｂ）に示すように、流入部２０内における分流部８１の左方には、流入部２０の左方管壁の一部である左側空間形成部８２ａによって左側旋回空間Ｒ６が形成され、流入部２０内における分流部８１の右方には、流入部の右方管壁の一部である右側空間形成部８２ｂによって右側旋回空間Ｒ７が形成されている。
【００４９】
図６（Ｂ）において、排出口３から排水管までの排水ソケット１０における排水の経路をＬ２で示す。図６（Ｂ）に示すように、排出口３から排出された排水は、分流部８１に衝突すると、分流部左壁面８１ａに衝突した排水の一部（Ｓ６）は左方に、分流部右壁面８１ｂに衝突した排水の一部（Ｓ７）は右方に流路を変更し、分流される。分流部８１の左方に分流された排水は、左側空間形成部８２ａの内壁面を沿うようにして左側旋回空間Ｒ６内を旋回する。また、分流部８１の右方に分流された排水は、右側空間形成部８２ｂの内壁面を沿うようにして右側旋回空間Ｒ７内を旋回する。こうすることで、上記の第一実施形態と同様に流入部２０内に排水を一時的に留めておくことができる。これにより、上述した第一実施形態と同様の作用効果を奏するものである。
【００５０】
＜第三実施形態＞
次に、本発明の第三実施形態について説明する。
【００５１】
上記した第一実施形態では、大便器１の後方に開口した排出口３と床下の排水管５を接続する排水ソケット１０の流入部２０に分流部２１を備えることとしたが、大便器の下方に開口した排出口と床下の排水管を接続する排水ソケットの流入部に分流部を備えてもよい。
【００５２】
図８を参照して、大便器の下方に開口した排出口と床下の排水管を接続する排水ソケットの流入部に分流部を備えた場合の、本発明の第一実施形態における第三実施形態による排水ソケットの構造について説明する。図８は、本発明の第一実施形態における第三実施形態による流入部の断面図である。ここでは、図５に示した流入部２０の構成要素と同一の構成要素については同一の符号を付し、それらの説明を省略する。
【００５３】
図８において、排出口３から排水管までの排水ソケット１０における排水の経路をＬ３で示す。図８に示すように、第三実施形態による流入部２０は、流入部２０の下方管壁に上方へ突出した分流部１０１と、分流部１０１の後方において湾曲した管壁である空間形成部１０２とを備え、空間形成部１０２によって形成された旋回空間Ｒ１０を有する。このように構成することで、排出口３から排出された排水は、分流部１０１に衝突することで排水ソケット３内において前後方向に分流され、後方に分流された排水を旋回空間Ｒ１０内に一時的に留めておくことができ、上述した第一実施形態と同様の作用効果を奏するものである。
【００５４】
また、本発明における分流部が排水を分流する方法は上記実施形態に限られず、例えば、流入口２０ａから流入部２０へ流入した排水が上下及び左右に分流されるように分流部を形成したり、分流部の段数を上記実施形態のように１段ではなく排水が分流されるような複数段の形状になるように分流部を形成したりして、分流した排水の一部を旋回空間内で旋回させ、排水ソケット内に一時的に留まるようにしてもよい。
【符号の説明】
【００５５】
１      大便器
２      排水トラップ
３      排出口
５      排水管
１０    排水ソケット
１１    シール部材
２０    流入部（鉛直管路部）
２０ａ  流入口
２０ｂ  流入部の下流側接続口
２１    分流部
２１ａ  分流部上面
２１ｂ  分流部側壁面
２１ｃ  分流部頂部
２２    空間形成部
２２ａ  傾斜部
２２ｂ  湾曲部
２３    流入側管路底面
２４    流入部の下流管路
４０    流出部（屈曲管路部）
４０ａ  流出部の上流側接続口
４０ｂ  流出口
６０    連結部
６０ａ  連結部の上流側接続口
６０ｂ  連結部の下流側接続口
８１    分流部
８１ａ  分流部左壁面
８１ｂ  分流部右壁面
８１ｃ  分流部頂部
１０１  分流部
１０２  空間形成部
Ｒ１    便器ボウル部
Ｒ２    排出管路
Ｒ３    旋回空間
Ｒ６    左側旋回空間
Ｒ７    右側旋回空間
Ｒ１０  旋回空間
Ｗ      溜水
【図１】
0006765627.tif 000002
【図２】
0006765627.tif 000003
【図３】
0006765627.tif 000004
【図４】
0006765627.tif 000005
【図５】
0006765627.tif 000006
【図６（Ａ）】
0006765627.tif 000007
【図６（Ｂ）】
0006765627.tif 000008
【図７】
0006765627.tif 000009
【図８】
0006765627.tif 000010
【図９】
0006765627.tif 000011